(57)【要約】【課題】信頼性が高く照明性能に優れた面状照明装置を提供する。【解決手段】本発明に係る面状照明装置は、ＬＥＤと、ＦＰＣ３０と、ＬＥＤが対向して配置される入光面及び入光面から入射した光を面状に出射する出射面を有する導光板と、を備えている。ＦＰＣ３０は、ベースフィルム３１、ベースフィルム３１上に形成される配線層３２、及び配線層３２上に積層されるカバーレイフィルム３３を含んでおり、配線層３２のうちＬＥＤの一対の電極端子に対応して設けられる一対のランド部３４、３５のそれぞれは、カバーレイフィルム３３の開口部３８から一部のみが露出するように形成され、その露出部分に、ＬＥＤの実装位置を制御する位置合わせ部４１、４２、４３、４４が設けられる。【選択図】図２
2016212998.tif 000002
【特許請求の範囲】
【請求項１】
点状光源と、前記点状光源が実装されるフレキシブルプリント回路基板と、前記点状光源が対向して配置される端面及び該端面から入射した光を面状に出射する出射面を有する導光板と、を備える面状照明装置であって、前記フレキシブルプリント回路基板は、ベースフィルム、ベースフィルム上に形成される配線層、及び配線層上に積層されるカバーレイフィルムを含んでおり、前記配線層のうち前記点状光源の一対の電極端子に対応して設けられる一対のランド部のそれぞれは、前記カバーレイフィルムの開口部から一部のみが露出するように形成され、その露出部分に、前記点状光源の実装位置の位置合わせを行う位置合わせ部が設けられることを特徴とする面状照明装置。
【請求項２】
前記位置合わせ部は、前記点状光源の、前記一対の電極端子の互いに対向する一対の前端辺が延びる方向の実装位置を位置合わせすることを特徴とする請求項１に記載の面状照明装置。
【請求項３】
前記一対のランド部の外周辺のうち、互いに対向する一対の内側辺は、前記カバーレイフィルムの開口部から露出する部分を有し、前記一対の内側辺を除く各辺は、前記カバーレイフィルムによって覆われていることを特徴とする請求項１または２に記載の面状照明装置。
【請求項４】
前記一対のランド部のそれぞれの外周辺のうち、互いに対向する一対の内側辺及び該一対の内側辺のそれぞれに連なる辺のうちの一つは、前記カバーレイフィルムの開口部から露出する部分を有し、前記一対の内側辺及び前記一対の内側辺のそれぞれに連なる辺のうちの露出部分を有する方の一つを除く各辺は、前記カバーレイフィルムによって覆われていることを特徴とする請求項１または２に記載の面状照明装置。
【請求項５】
前記一対のランド部の前記一対の内側辺の前記カバーレイフィルムの開口部から露出する部分は、前記点状光源の前記一対の電極端子の互いに対向する一対の前端辺の近傍に位置して、前記一対の前端辺に沿って延びることを特徴とする請求項３または４に記載の面状照明装置。
【請求項６】
前記位置合わせ部は、前記ランド部のパターンの一部として形成されることを特徴とする請求項１から５のいずれか１項に記載の面状照明装置。
【請求項７】
前記位置合わせ部は、前記点状光源の前記一対の電極端子のそれぞれについて、電極端子の前端辺が延びる方向に離れて配置された２つの部分を少なくとも有し、電極端子は前記２つの部分の間に配置され、前記２つの部分のそれぞれの外周辺は、電極端子の前端辺に連なる２つの端辺のそれぞれの近傍に位置して前記２つの端辺のそれぞれに沿って延びる辺を含むことを特徴とする面状照明装置。
【請求項８】
前記点状光源の一対の電極端子の前記一対の前端辺が延びる方向の幅は、当該方向の前記点状光源の上面視外形の幅よりも小さく形成され、前記位置合わせ部の少なくとも一部は、前記一対の電極端子と前記点状光源の上面視外形の外周辺との間に配置されることを特徴とする請求項６または７に記載の面状照明装置。
【発明の詳細な説明】
【技術分野】
【０００１】
本発明は、サイドライト方式の面状照明装置に関する。
【背景技術】
【０００２】
従来、液晶表示パネル等の照明手段として、導光板の側端面に沿って光源を配置してなるサイドライト方式の面状照明装置（バックライト）が知られている。特に、小型で環境適合性に優れた発光ダイオード装置（ＬＥＤ）を光源として用いた面状照明装置は、携帯電話等の小型携帯情報機器の分野を中心に広く採用されている。一般に、この種の面状照明装置において、ＬＥＤはフレキシブルプリント回路基板上に実装される（例えば、特許文献１参照）。
【先行技術文献】
【特許文献】
【０００３】
【特許文献１】特開２００６−２１６４９４号公報
【発明の開示】
【発明が解決しようとする課題】
【０００４】
面状照明装置において、光源であるＬＥＤのフレキシブルプリント回路基板への実装位置の精度は、ＬＥＤと導光板との光学的結合、ひいては面状照明装置の輝度及び輝度の均一性へ影響を及ぼす重要な技術要素の一つである。面状照明装置では、近時、照明性能の向上に対する要求が一層厳しくなっており、これに伴って、ＬＥＤのフレキシブルプリント回路基板への実装位置精度の向上も強く求められている。また、近時、ＬＥＤの小型化、ひいてはＬＥＤの電極端子の小型化にともなって、電極端子との接続のためにフレキシブルプリント基板上に設けられるランド部の面積も小さくなる傾向にある。しかしながら、ランド部の面積が小さくなると、ランド部の剥離強度が低下し、装置の信頼性の低下につながるという問題があった。
【０００５】
本発明は、上記課題に鑑みてなされたものであり、信頼性が高く照明性能に優れた面状照明装置を提供することを目的とする。
【課題を解決するための手段】
【０００６】
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、さらに他の構成要素を付加したものについても、本願発明の技術的範囲に含まれ得るものである。
【０００７】
（１）点状光源と、前記点状光源が実装されるフレキシブルプリント回路基板と、前記点状光源が対向して配置される端面及び該端面から入射した光を面状に出射する出射面を有する導光板と、を備える面状照明装置であって、前記フレキシブルプリント回路基板は、ベースフィルム、ベースフィルム上に形成される配線層、及び配線層上に積層されるカバーレイフィルムを含んでおり、前記配線層のうち前記点状光源の一対の電極端子に対応して設けられる一対のランド部のそれぞれは、前記カバーレイフィルムの開口部から一部のみが露出するように形成され、その露出部分に、前記点状光源の実装位置の位置合わせを行う位置合わせ部が設けられることを特徴とする面状照明装置（請求項１）。
【０００８】
本項に記載の面状照明装置において、点状光源の電極端子に接続されるランド部は、カバーレイフィルムの開口部から一部のみが露出するように形成されている。したがって、点状光源の電極端子のサイズによらずに、ランド部のサイズを大きくし、ひいてはランド部とベースフィルムとの接着面積を大きくすることができ、ランド部のベースフィルムからの剥離が効果的に抑制される。これによって、面状照明装置の信頼性が向上する。
【０００９】
また、本項に記載の面状照明装置では、ランド部の露出部分に、点状光源の実装位置の位置合わせを行う位置合わせ部が設けられている。これによって、ランド部を電極端子のサイズに対して大きく形成しても、点状光源をフレキシブルプリント基板上に高い位置精度で実装することができ、ひいては、照明性能に優れた面状照明装置を実現することができる。
【００１０】
（２）（１）項に記載の面状照明装置において、前記位置合わせ部は、前記点状光源の、前記一対の電極端子の互いに対向する一対の前端辺が延びる方向の実装位置を位置合わせすることを特徴とする面状照明装置（請求項２）。
【００１１】
本項に記載の面状照明装置によれば、点状光源の一対の電極端子の互いに対向する一対の前端辺が延びる方向を、点状光源の実装位置に関して特に高い精度が要求される方向（例えば、導光板の厚さ方向）に一致させることにより、面状照明装置の照明性能をより向上させることができる。
【００１２】
（３）（１）または（２）項に記載の面状照明装置において、前記一対のランド部の外周辺のうち、互いに対向する一対の内側辺は、前記カバーレイフィルムの開口部から露出する部分を有し、前記一対の内側辺を除く各辺は、前記カバーレイフィルムによって覆われていることを特徴とする面状照明装置（請求項３）。
【００１３】
本項に記載の面状照明装置では、一対のランド部の外周辺のうち、互いに対向する一対の内側辺を除く各辺がカバーレイフィルムによって覆われていることによって、ランド部のベースフィルムからの剥離をさらに効果的に抑制することができる。加えて、ランド部からの引出線が、ランド部の上記内側辺以外の辺から引き出される場合、本項に記載の面状照明装置では、線幅が細い引出線とランド部との接続部分がカバーレイフィルムで覆われることになるため、この接続部分での断線が防止される。
【００１４】
また、本項に記載の面状照明装置において、一対のランド部の外周辺のうち、互いに対向する一対の内側辺がカバーレイフィルムの開口部から露出する部分を有している構成は、一対の電極端子間の距離が短い小型の点状光源を実装するために有利な構成である。
本項に記載の面状照明装置は、このように、小型の点状光源に対応しながら、カバーレイフィルムによるランド部及びその近傍の導通パターンの保護を最大限に実現するものである。
【００１５】
（４）（１）または（２）項に記載の面状照明装置において、前記一対のランド部のそれぞれの外周辺のうち、互いに対向する一対の内側辺及び該一対の内側辺のそれぞれに連なる辺のうちの一つは、前記カバーレイフィルムの開口部から露出する部分を有し、前記一対の内側辺及び前記一対の内側辺のそれぞれに連なる辺のうちの露出部分を有する方の一つを除く各辺は、前記カバーレイフィルムによって覆われていることを特徴とする面状照明装置（請求項４）。
【００１６】
本項に記載の面状照明装置では、一対のランド部の外周辺のうち、互いに対向する一対の内側辺及び該一対の内側辺のそれぞれに連なる辺のうちの一つを除く各辺が、カバーレイフィルムによって覆われていることによって、ランド部のベースフィルムからの剥離をさらに効果的に抑制することができる。また、ランド部からの引出線が、ランド部の上記内側辺及び上記内側辺に連なる辺のうちの一つ以外の辺から引き出される場合、本項に記載の面状照明装置では、線幅が細い引出線とランド部との接続部分がカバーレイフィルムで覆われることになるため、この接続部分での断線が防止される。
【００１７】
また、本項に記載の面状照明装置において、一対のランド部の外周辺のうち、互いに対向する一対の内側辺が、カバーレイフィルムの開口部から露出する部分を有している構成は、一対の電極端子間の距離が短い小型の点状光源を実装するために有利な構成である。
【００１８】
そして、本項に記載の面状照明装置は、カバーレイフィルムについて、一対の内側辺のそれぞれに連なる辺のうちの一つを覆う部分を不要とした構成であるため、（３）項に記載の面状照明装置と比較して、ランド部のカバーレイフィルムによる保護の効果の観点からは不利となるものの、一対のランド部を、フレキシブルプリント回路基板の縁部に比較的近い箇所に設ける必要がある場合に有利な構成である。
本項に記載の面状照明装置は、このように、小型の点状光源に対応し、かつ、一対のランド部の配置位置の限定条件に対応しつつ、カバーレイフィルムによるランド部及びその近傍の導通パターンの保護を最大限に実現するものである。
【００１９】
（５）（３）または（４）項に記載の面状照明装置において、前記一対のランド部の前記一対の内側辺の前記カバーレイフィルムの開口部から露出する部分は、前記点状光源の前記一対の電極端子の互いに対向する一対の前端辺の近傍に位置して、前記一対の前端辺に沿って延びることを特徴とする面状照明装置（請求項５）。
【００２０】
本項に記載の面状照明装置では、上記構成により、点状光源の電極端子とフレキシブルプリント回路基板のランド部とを半田付けにより接続する際に、半田のリフロー工程におけるセルフアライメント効果により、点状光源の、上記一対の前端辺が延びる方向と直交する方向（以下、横方向ともいう）の実装位置が、高精度に位置決めされることになる。
【００２１】
特に、本項に記載の面状照明装置は、（２）項に記載の面状照明装置のように、その位置合わせ部が、点状光源の、上記一対の前端辺が延びる方向（以下、縦方向ともいう）の実装位置を位置合わせするものである場合、縦方向と横方向の２軸方向に関して、点状光源の実装位置を高精度に位置決めすることができる。これによって、例えば、点状光源の導光板の入光面に対する配置位置に関して、導光板の厚さ方向と入光面の長手方向との２軸方向について高精度な位置決めが要求される場合に、この要求を満たす面状照明装置を実現することができる。
【００２２】
（６）（１）から（５）のいずれか１項に記載の面状照明装置において、前記位置合わせ部は、前記ランド部のパターンの一部として形成されることを特徴とする面状照明装置（請求項６）。
【００２３】
本項に記載の面状照明装置によれば、点状光源の電極端子とフレキシブルプリント回路基板のランド部とを半田付けにより接続する際に、半田のリフロー工程におけるセルフアライメント効果により点状光源の実装位置の位置合わせを行う位置合わせ部を、容易に形成することができる。
この場合、位置合わせ部は、配線層を構成する材料（典型的には、銅箔）のエッチングにより配線層を形成する工程において、ランド部全体のパターン（及び他の導通パターン）と同時に形成することが好ましい。
【００２４】
（７）（６）項に記載の面状照明装置において、前記位置合わせ部は、前記点状光源の前記一対の電極端子のそれぞれについて、電極端子の前端辺が延びる方向に離れて配置された２つの部分を少なくとも有し、電極端子は前記２つの部分の間に配置され、前記２つの部分のそれぞれの外周辺は、電極端子の前端辺に連なる２つの端辺のそれぞれの近傍に位置して前記２つの端辺のそれぞれに沿って延びる辺を含むことを特徴とする面状照明装置（請求項７）。
【００２５】
本項に記載の面状照明装置によれば、半田のリフロー工程におけるセルフアライメント効果により、点状光源の、上記一対の前端辺が延びる方向（縦方向）の実装位置を制御する位置合わせ部を、容易に形成することができる。
本項に記載の面状照明装置において、前記位置合わせ部は、前記ランド部の外周辺で囲まれた領域内に形成された穴部を含むものであってもよい。
また、本項に記載の面状照明装置において、前記位置合わせ部は、前記ランド部の外周辺に設けられた切欠部を含むものであってもよい。
【００２６】
（８）（６）または（７）項に記載の面状照明装置において、前記点状光源の一対の電極端子の前記一対の前端辺が延びる方向の幅は、当該方向の前記点状光源の上面視外形の幅よりも一回り小さく形成され、前記位置合わせ部の少なくとも一部は、前記一対の電極端子と前記点状光源の上面視外形の外周辺との間に配置されることを特徴とする面状照明装置（請求項８）。
【００２７】
本項に記載の面状照明装置では、位置合わせ部の、一対の電極端子と点状光源の上面視外形の外周辺との間に配置される部分は、点状光源のフレキシブルプリント基板上の実装位置が正しい場合には、点状光源の上面視外形によって隠れることになる。一方、位置合わせ部の、縦方向の幅を所定の幅に設定することにより、点状光源の縦方向の実装位置に、前記位置合わせ部の所定の幅に応じて決まる大きさ以上のずれが存在する場合、位置合わせ部に、点状光源の上面視外形からはみ出す部分が生じる。
【００２８】
本項に記載の面状照明装置では、位置合わせ部の上述した特徴を活用して、位置合わせ部を実装位置検査用マークとして使用することができる。すなわち、点状光源のフレキシルブルプリント回路基板上への実装後、外観検査を実施することによって、点状光源が正しい位置に実装されたか否かを、位置合わせ部の可視／不可視を基準として判定することができる。
【発明の効果】
【００２９】
本発明によれば、以上のような構成により、フレキシブルプリント基板の機械的強度を向上させ、それによって面状照明装置の信頼性を向上させることが可能となる。また、本発明によれば、点状光源のフレキシブルプリント基板上への実装精度を向上させ、それによって面状照明装置の照明性能を向上させることが可能となる。
【図面の簡単な説明】
【００３０】
【図１】本発明の一実施形態における面状照明装置の要部を示す側面図である。
【図２】図１に示す面状照明装置におけるＦＰＣの要部を、ＬＥＤが実装される面側から見た平面図であり、（ａ）は、カバーレイフィルムのない状態、（ｂ）は、カバーレイフィルムのある状態をそれぞれ示す図である。
【図３】図１に示す面状照明装置におけるＦＰＣの要部をＬＥＤとともに示す図であり、（ａ）はＬＥＤを実装面側から見た平面図、（ｂ）は、ＦＰＣの要部をＬＥＤが実装される面側から見た平面図である。
【図４】本発明の一実施形態における面状照明装置において、ＦＰＣの別の例を示す平面図である。
【図５】（ａ）、（ｂ）、（ｃ）のそれぞれは、本発明の一実施形態における面状照明装置において、ＦＰＣの位置合わせ部の別の例を示す平面図である。
【図６】本発明の一実施形態における面状照明装置において、ＦＰＣの別の例を示す平面図である。
【発明を実施するための形態】
【００３１】
以下、本発明の実施形態に係る面状照明装置を、図面を参照して説明する。なお、以下に示す各図において、各構成要素の形状、寸法等は、本発明の理解を容易にするため適宜誇張して示されている。
【００３２】
図１に示す面状照明装置１０は、導光板１１と、点状光源２０と、点状光源２０が実装される回路基板としての短冊状のフレキシブルプリント回路基板（以下、ＦＰＣともいう）３０とを備えている。
【００３３】
本実施形態において、点状光源２０は、図示は省略する青色ＬＥＤチップと蛍光体（例えば、黄色蛍光体）を有する擬似白色ＬＥＤである（以下、本実施形態における構成に従って、点状光源２０を、ＬＥＤ２０ともいう）。ＬＥＤ２０は、その外表面のうち、ＦＰＣ３０に対する実装面２１とは反対側の一面に発光面２２を有する、所謂トップビュー型のＬＥＤである。
【００３４】
導光板１１は、透明材料（例えば、ポリカーボネート樹脂）を用いて上面視矩形状に形成され、その外表面に、ＬＥＤ２０の発光面２２が対向して配置される端面である入光面１２を有する。また、導光板１１は、出射部１６と、後述する入光楔部１５と備えており、出射部１６は、入光面１２と略直交する一方の主平面である出射面１３を有している。導光板１１において、裏面１４は、入光面１２と略直交する他方の主平面であり、出射面１３に略平行に対向する。
【００３５】
面状照明装置１０において、導光板１１は、入光面１２と出射部１６との間に、入光面１２側から出射部１６側に向かうにしたがって厚さが漸減する入光楔部１５を有している。入光楔部１５は、前方ほど裏面１４側に近づくように傾斜する傾斜面１７を、入光面１２の長手方向に沿って出射面１３側に設けることにより構成される。出射部１６は、厚さが一定の矩形平板状に形成されている。
【００３６】
面状照明装置１０は、以上のような構成により、ＬＥＤ２０の発光面２２から出射され、入光面１２から導光板１１に入射した光を、照明光として出射面１３から面状に出射させるものである。尚、図示は省略するが、面状照明装置１０は、導光板１１の裏面１４側に、裏面１４から漏れた光を再度導光板１１に戻すための反射シートが配置されるものであってもよく、及び／または、出射部１６の出射面１３側に、出射面１３から出射する光の指向性を制御するための拡散シート及びプリズムシートが配置されるものであってもよい。また、面状照明装置１０は、各構成要素を一体に保持するためのフレーム部材を含むものであってもよい。
【００３７】
また、図示は省略するが、面状照明装置１０は複数のＬＥＤ２０を備えており、これらの複数のＬＥＤ２０は、入光１２の長手方向（図１において紙面に直交する方向）に沿って配列されている。但し、本発明において、点状光源の数は複数に限らず１灯でもよい。
【００３８】
次に、図２及び図３を参照して、ＦＰＣ３０の構成について詳述する。ＦＰＣ３０は、ベースフィルム３１と、ベースフィルム３１上に形成される配線層３２と、配線層３２の少なくとも一部に積層配置されるカバーレイフィルム３３とを備えている。ベースフィルム３０及びカバーレイフィルム３３は、例えば、ポリイミド樹脂フィルムから構成される。配線層３１は、銅箔からなり、例えばエッチングにより後述する種々の導通パターンが形成される。
【００３９】
尚、図２（ａ）には、説明の便宜のため、ＦＰＣ３０がカバーレイフィルム３３を省略した状態で示されており、図２（ｂ）に、カバーレイフィルム３３を有する完成状態で示されている。
【００４０】
配線層３２により形成される導通パターンには、ＬＥＤ２０の一対の電極端子２４、２５（図３参照）に対応する一対のランド部３４、３５が含まれる。ランド部３４は、外周辺３４ａ、３４ｂ、３４ｃ、３４ｄを有しており、ランド部３５は、外周辺３５ａ、３５ｂ、３５ｃ、３５ｄを有している。ここで、一対のランド部３４、３５の互いに対向する辺３４ａ、３５ａを内側辺ともいう。ランド部３４からの引出線３６は、その内側辺３４ａとは反対側の辺３４ｄから引き出されており、ランド部３５からの引出線３７は、その内側辺３５ａとは反対側の辺３５ｄから引き出されている。
【００４１】
図２（ｂ）に示すように、ＦＰＣ３０において、ランド部３４及びランド部３５のそれぞれは、カバーレイフィルム３３の開口部３８から一部のみが露出するように形成される。この際、ランド部３４の外周辺３４ａ、３４ｂ、３４ｃ、３４ｄのうち、内側辺３４ａは、カバーレイフィルム３３の開口部３８から露出する部分を有しており、内側辺３４ａ以外の各辺３４ｂ、３４ｃ、３４ｄは、カバーレイフィルム３３によって覆われている。同様に、ランド部３５の外周辺３５ａ、３５ｂ、３５ｃ、３５ｄのうち、内側辺３５ａは、カバーレイフィルム３３の開口部３８から露出する部分を有しており、内側辺３５ａ以外の各辺３５ｂ、３５ｃ、３５ｄは、カバーレイフィルム３３によって覆われている。
【００４２】
ＦＰＣ３０において、ランド部３４の開口部３８からの露出部分には、位置合わせ部４１、４２が形成されており、ランド部３５の開口部３８からの露出部分には、位置合わせ部４３、４４が形成されている。
【００４３】
次に、図３を参照して、ＬＥＤ２０の電極端子２４、２５の構成、並びにそれに関連してランド部３４、３５及び位置合わせ部４１、４２、４３、４４の構成について説明すれば、次の通りである。
【００４４】
ここで、図３（ａ）は、ＬＥＤ２０を実装面２１側から示す平面図である。また、図３（ｂ）には、ランド部３４、３５上に配置されたＬＥＤの実装面２１が二点鎖線で示されている。
ＬＥＤ２０は、一対の電極端子２４、２５を有しており、電極端子２４はランド部３４に接続され、電極端子２５はランド部３５に接続される。
【００４５】
図３（ａ）に示すように、ＬＥＤ２０において、電極端子２４は、実装面２１内に端辺２４ａ、２４ｂ、２４ｃを有し、電極端子２５は、実装面２１内に端辺２５ａ、２５ｂ、２５ｃを有する。ここで、一対の電極端子２４、２５の互いに対向する端辺２４ａ、２５ａを前端辺ともいう。電極端子２４において、端辺２４ｂ、２４ｃは、前端辺２４ａに連なり、前端辺２４ａが延びる方向と略直交する方向に延びている。同様に、電極端子２５において、端辺２５ｂ、２５ｃは、前端辺２５ａに連なり、前端辺２５ａが延びる方向と略直交する方向に延びている。
【００４６】
尚、面状照明装置１０において、電極端子２４、２５の前端辺２４ａ、２５ａが延びる方向を縦方向（図３において、上下方向）ともいい、端辺２４ｂ、２４ｃ、２５ｂ、２５ｃが延びる方向を横方向（図３において、左右方向）ともいう。また、面状照明装置１０において、ＦＰＣ３０上に実装されたＬＥＤ２０は、導光板１０の入光面１２に対して、縦方向が導光板１１の厚さ方向（図１において、上下方向）と一致し、横方向が入光１２の長手方向（図１において、紙面に直交する方向）と一致するように配置される。
【００４７】
ＬＥＤ２０の上面視外形は、外周辺２１ａ、２１ｂ、２１ｃ、２１ｄを備える矩形状をなすものである。この例において、辺２１ａ、２１ｄは、互いに対向して縦方向に延びる短辺２１ａ、２１ｄであり、辺２１ｂ、２１ｃは、互いに対向して横方向に延びる長辺２１ｂ、２１ｃである。そして、ＬＥＤ２０では、電極端子２４、２５の縦方向の幅ｗ１は、ＬＥＤ２０の上面視外形の縦方向の幅ｗ２よりも一回り小さく形成されている。
【００４８】
言い換えれば、電極端子２４の前端辺２４ａに連なる一方の端辺２４ｂは、ＬＥＤ２０の上面視外形の長辺２１ｂ、２１ｃのうち、端辺２４ｂに近い側の長辺２１ｂから縦方向に一定の距離を置いて配置され、かつ、電極端子２４の前端辺２４ａに連なる他方の端辺２４ｃは、ＬＥＤ２０の上面視外形の長辺２１ｂ、２１ｃのうち、端辺２４ｃに近い側の長辺２１ｃから縦方向に一定の距離を置いて配置されている。
【００４９】
同様に、電極端子２５の前端辺２５ａに連なる一方の端辺２５ｂは、ＬＥＤ２０の上面視外形の長辺２１ｂ、２１ｃのうち、端辺２５ｂに近い側の長辺２１ｂから縦方向に一定の距離を置いて配置され、かつ、電極端子２４の前端辺２５ａに連なる他方の端辺２５ｃは、ＬＥＤ２０の上面視外形の長辺２１ｂ、２１ｃのうち、端辺２５ｃに近い側の長辺２１ｃから縦方向に一定の距離を置いて配置されている。
【００５０】
尚、図示の例では、電極端子２４、２５は、ＬＥＤ２０の上面視外形の縦方向の中心線Ｃに対して対称に設けられている。
【００５１】
ＦＰＣ３０において、ランド部３４は、開口部３８からの露出部分の範囲内に、電極端子２４の実装面２１側の外形が含まれるように形成される。その際、ランド部３４の内側辺３４ａの開口部３８からの露出部分は、電極端子２４の前端辺２４ａの近傍に位置して、前端辺２４ａに沿って延びるように構成されている。同様に、ランド部３５は、開口部３８からの露出部分の範囲内に、電極端子２５の実装面２１側の外形が含まれるように形成される。その際、ランド部３５の内側辺３５ａの開口部３８からの露出部分は、電極端子２５の前端辺２５ａの近傍に位置して、前端辺２５ａに沿って延びるように構成されている。
【００５２】
また、ＦＰＣ３０において、位置合わせ部４１、４２は、ランド部３４のパターンの一部として形成される。具体的には、位置合わせ部４１及び４２は、ランド部３４の外周辺３４ａ、３４ｂ、３４ｃ、３４ｄで囲まれる領域内に設けられる、ランド部３４の穴部（ベースフィルム３１が露出する開口部）として形成される。同様に、位置合わせ部４３、４４は、ランド部３５のパターンの一部として形成される。具体的には、位置合わせ部４３及び４４は、ランド部３５の外周辺３５ａ、３５ｂ、３５ｃ、３５ｄで囲まれる領域内に設けられる、ランド部３５の穴部（ベースフィルム３１が露出する開口部）として形成される。位置合わせ部４１、４２、４３、４４は、銅箔のエッチングにより配線層３２を形成する工程において、ランド部３４、３５全体のパターン（及び他の導通パターン）と同時に形成されるものである。
【００５３】
位置合わせ部４１及び４２のそれぞれの外周辺４１ａ、４１ｂ、４１ｃ、４１ｄ及び４２ａ、４２ｂ、４２ｃ、４２ｄは、互いに対向する縦方向の短辺４１ａ、４１ｄ及び４２ａ、４２ｄと、互いに対向する横方向の長辺４１ｂ、４１ｃ及び４２ｂ、４２ｃとから、矩形状に構成される。同様に、位置合わせ部４３及び４４のそれぞれの外周辺４３ａ、４３ｂ、４３ｃ、４３ｄ及び４４ａ、４４ｂ、４４ｃ、４４ｄは、互いに対向する縦方向の短辺４３ａ、４３ｄ及び４４ａ、４４ｄと、互いに対向する横方向の長辺４３ｂ、４３ｃ及び４４ｂ、４４ｃとから、矩形状に構成される。
【００５４】
そして、ランド部３４に設けられる２つの位置合わせ部４１と位置合わせ部４２は、縦方向に離れて配置されており、ＬＥＤ２０のＦＰＣ３０上への実装時、ＬＥＤ２０の電極端子２４は、位置合わせ部４１と位置合わせ部４２との間に配置される。この際、位置合わせ部４１の電極端子２４に近い側の長辺４１ｂが、電極端子２４の端辺２４ｃの近傍に位置して端辺２４ｃに沿って延びることになる。また、位置合わせ部４２についても、電極端子２４に近い側の長辺４２ｂが、電極端子２４の端辺２４ｂの近傍に位置して端辺２４ｂに沿って延びるものである。位置合わせ部４１及び４２において、ベースフィルム３１が露出する開口部は、それぞれ長辺４１ｂ及び長辺４２ｂから縦方向に電極端子２４から遠ざかる向きに設けられる。
【００５５】
同様に、ランド部３５に設けられる２つの位置合わせ部４３と位置合わせ部４４は、縦方向に離れて配置されており、ＬＥＤ２０のＦＰＣ３０上への実装時、ＬＥＤ２０の電極端子２５は、位置合わせ部４３と位置合わせ部４４との間に配置される。この際、位置合わせ部４３の電極端子２５に近い側の長辺４３ｂが、電極端子２５の端辺２５ｃの近傍に位置して端辺２５ｃに沿って延びることになる。また、位置合わせ部４４についても、電極端子２５に近い側の長辺４４ｂが、電極端子２５の端辺２５ｂの近傍に位置して端辺２５ｂに沿って延びるものである。位置合わせ部４３及び４４において、ベースフィルム３１が露出する開口部は、それぞれ長辺４３ｂ及び長辺４４ｂから縦方向に電極端子２４から遠ざかる向きに設けられる。
【００５６】
さらに、ＦＰＣ３０では、位置合わせ部４１、４２、４３、４４は、一対の電極端子２４、２５とＬＥＤ２０の上面視外形の外周辺２１ａ、２１ｂ、２１ｃ、２１ｄとの間に配置されている。詳しくは、位置合わせ部４１は、その長辺４１ｂ、４１ｃの両方が、電極端子２４の端辺２４ｃと、ＬＥＤ２０の上面視外形の外周辺のうち、端辺２４ｃに近い側の長辺２１ｃとの間に位置するように形成されており、位置合わせ部４２は、その長辺４２ｂ、４２ｃの両方が、電極端子２４の端辺２４ｂと、ＬＥＤ２０の上面視外形の外周辺のうち、端辺２４ｂに近い側の長辺２１ｂとの間に位置するように形成されている。また、位置合わせ部４１及び４２では、ランド部３４の内側辺３４ａとは反対側の短辺４１ｄ及び４２ｄも、位置合わせ部４１及び４２が、ＬＥＤ２０の上面視外形の外周辺のうちランド部３４上に位置する短辺２１ａから、外方に突出しない位置に設けられている。
【００５７】
同様に、位置合わせ部４３は、その長辺４３ｂ、４３ｃの両方が、電極端子２５の端辺２５ｃと、ＬＥＤ２０の上面視外形の外周辺のうち、端辺２５ｃに近い側の長辺２１ｃとの間に位置するように形成されており、位置合わせ部４４は、その長辺４４ｂ、４４ｃの両方が、電極端子２５の端辺２５ｂと、ＬＥＤ２０の上面視外形の外周辺のうち、端辺２５ｂに近い側の長辺２１ｂとの間に位置するように形成されている。さらに、位置合わせ部４３及び４４では、ランド部３５の内側辺３５ａとは反対側の短辺４３ｄ及び４４ｄも、位置合わせ部４３及び４４が、ＬＥＤ２０の上面視外形の外周辺のうちランド部３５上に位置する短辺２１ｄから、外方に突出しない位置に設けられている。
【００５８】
以上のように構成された面状照明装置１０の作用効果について説明すれば、次の通りである。面状照明装置１０では、ＬＥＤ２０一対の電極端子２４、２５に対応して設けられる一対のランド部３４、３５のそれぞれは、カバーレイフィルム３３の開口部３８からその一部のみが露出するように形成されている。したがって、ＬＥＤ２０の電極端子２４、２５のサイズによらずに、ランド部３４、３５のサイズを大きくし、ひいてはランド部３４、３５とベースフィルム３１との接着面積を大きくすることができ、ランド部３４、３５のベースフィルム３１からの剥離が効果的に抑制される。これによって、ＦＰＣ３０の機械的強度を向上させ、ひいては面状照明装置の信頼性を向上させることができる。
【００５９】
特に、面状照明装置１０では、一対のランド部３４及び３５の外周辺３４ａ、３４ｂ、３４ｃ、３４ｄ及び３５ａ、３５ｂ、３５ｃ、３５ｄのうち、内側辺３４ａ、３５ａは、カバーレイフィルム３３の開口部３８から露出する部分を有し、内側辺３４ａ、３５ａを除く各辺３４ｂ、３４ｃ、３４ｄ及び３５ｂ、３５ｃ、３５ｄは、カバーレイフィルム３３によって覆われている。これによって、ランド部３４、３５のベースフィルム３１から剥離をさらに効果的に抑制することができる。
【００６０】
加えて、面状照明装置１０では、ランド部３４、３５からの引出線３６、３７は、それぞれランド部３４、３５の内側辺３４ａ、３５ａとは反対側の外周辺３４ｄ、３５ｄから引き出されており、線幅が細い引出線３６、３７とランド部３４、３５との接続部分が、この外周辺３４ｄ、３５ｄに存在する。したがって、本願発明の上記構成によれば、引出線３６、３７とランド部３４、３５との接続部分がカバーレイフィルム３３で覆われることになるため、この接続部分での断線を防止することができる。
【００６１】
尚、引出線３６、３７は、ランド部３４、３５の外周辺のうち、内側辺３４ａ、３５ａ以外の各辺３４ｂ、３４ｃ、３４ｄ及び３５ｂ、３５ｃ、３５ｄのいずれかから引き出される構成が一般的であり、本願発明の上記構成は、この意味で、引出線３６、３７とランド部３４、３５との接続部分での断線防止のために顕著な効果を奏するものである。
【００６２】
また、面状照明装置１０において、ランド部３４、３５の外周辺のうち、内側辺３４ａ、３５ａが開口部３８から露出する部分を有している構成は、一対の電極端子２４、２５間の距離が短い小型のＬＥＤ２０を実装するために有利な構成である。
【００６３】
加えて、面状照明装置１０では、ランド部３４、３５の開口部３８からの露出部分に、図３を参照して上述した構成を備えた位置合わせ部４１、４２、４３、４４を有している。
これによって、ＦＰＣ３０では、ＬＥＤ２０の電極端子２４、２５とＦＰＣ３０のランド部３４、３５とを半田付けにより接続する際に、半田のリフロー工程におけるセルフアライメント効果により、ＬＥＤ２０の、一対の電極端子２４、２５の互いに対向する一対の前端辺２４ａ、２５ａが延びる方向（縦方向）の実装位置が、適切な位置に位置合わせされることになる。
【００６４】
すなわち、ＬＥＤ２０の電極端子２４の縦方向の実装位置は、ランド部３４に形成された位置合わせ部４１の長辺４１ｂと位置合わせ部４２の長辺４２ｂとの間の適正な位置に、セルフアラインメント効果により自動的に位置合わせされる。同様に、電極端子２５の縦方向の実装位置は、ランド部３５に形成された位置合わせ部４３の長辺４３ｂと位置合わせ部４４の長辺４４ｂとの間の適正な位置に、セルフアラインメント効果により自動的に位置合わせされる。
【００６５】
これによって、面状照明装置１０では、ランド部３４、３５を電極端子２４、２５のサイズに対して大きく形成しても、ＬＥＤ２０を、ＦＰＣ３０上に縦方向に高い位置精度をもって実装することができる。
【００６６】
ここで、面状照明装置１０では、ＦＰＣ３０上に実装されたＬＥＤ２０は、導光板１１の入光面１２に対して、縦方向が導光板１１の厚さ方向と一致するように配置される。そして、ＬＥＤ２０の入光面１２に対する導光板１１の厚さ方向の位置精度は、ＬＥＤ２０と導光板１１との光の結合効率、ひいては面状照明装置１０から出射される照明光の輝度に対して重要な影響を及ぼすものである。しかるに、面状照明装置１０では、ＬＥＤ２０をＦＰＣ３０上に縦方向に高い位置精度をもって実装することができるため、照明性能（特に、照明光の輝度）に優れた面状照明装置１０を実現することができる。
【００６７】
さらに、面状照明装置１０では、ＦＰＣ３０において、ランド部３４、３５は、それぞれ開口部３８からの露出部分の範囲内に、電極端子２４、２５の実装面２１側の外形が含まれるように形成され、かつランド部３４、３５の内側辺３４ａ、３５ａのそれぞれの開口部３８から露出部分は、それぞれＬＥＤ２０の電極端子２４、２５の前端辺２４ａ、２５ａの近傍に位置して、前端辺２４ａ、２５ａに沿って延びるものである。これによって、ＬＥＤ２０の電極端子２４、２５とＦＰＣ３０のランド部３４、３５とを半田付けにより接続する際に、半田のリフロー工程におけるセルフアライメント効果により、ＬＥＤ２０の、一対の前端辺２４ａ、２５ａが延びる方向と直交する方向（横方向）の実装位置についても、高精度に位置決めされることになる。
【００６８】
ここで、面状照明装置１０では、ＦＰＣ３０上に実装されたＬＥＤ２０は、導光板１１の入光面１２に対して、横方向が入光面１２の長手方向と一致するように配置される。そして、ＬＥＤ２０の入光面１２に対する、入光面１２の長手方向の位置精度は、面状照明装置１０から出射される照明光の輝度の均一性に対して重要な影響を及ぼすものである。しかるに、面状照明装置１０では、ＬＥＤ２０をＦＰＣ３０上に、縦方向だけでなく、横方向にも高い位置精度をもって実装することができるため、照明光の輝度の均一性の観点からも照明性能に優れた面状照明装置１０を実現することができる。
【００６９】
そして、面状照明装置１０において、ＬＥＤの電極端子２４、２５の縦方向の幅ｗ１は、ＬＥＤ２０の上面視外形の縦方向の幅ｗ２よりも一回り小さく形成されており、位置合わせ部４１、４２、４３、４４は、図３を参照して上述したように、電極端子２４、２５とＬＥＤ２０の上面視外形の外周辺２１ａ、２１ｂ、２１ｃ、２１ｄとの間に配置されている。
【００７０】
これによって、面状照明装置１０では、位置合わせ部４１、４２、４３、４４は、ＬＥＤ２０のＦＰＣ３０上の実装位置が正しい場合には、ＬＥＤ２０の上面視外形によって隠れることになる（図３（ｂ）参照）。一方、位置合わせ部４１、４２、４３、４４の、縦方向の幅を所定の幅に設定することにより、ＬＥＤ２０の縦方向の実装位置に、位置合わせ部の上記所定の幅に応じて決まる大きさ以上のずれが存在する場合、位置合わせ部４１、４２、４３、４４（の少なくとも１つまたは複数）に、ＬＥＤ２０の上面視外形からはみ出す部分が生じる。
【００７１】
したがって、面状照明装置１０では、位置合わせ部４１、４２、４３、４４の上述した特徴を活用して、位置合わせ部４１、４２、４３、４４を実装位置検査用マークとしても使用することができる。すなわち、ＬＥＤ２０のＦＰＣ３０上への実装後、外観検査を実施することによって、ＬＥＤ２０が正しい位置に実装されたか否かを、位置合わせ部４１、４２、４３、４４の可視／不可視を基準として判定することができる。面状照明装置１０では、これによって、ＬＥＤ２０のＦＰＣ２０へのより高精度な実装を可能にし、ひいては面状照明１０の照明性能をさらに向上させることができる。
【００７２】
次に、図４を参照して、面状照明装置１０で使用されるＦＰＣの別の例について説明する。但し、以下では、図１及び図２に示すＦＰＣ３０と、図４に示すＦＰＣ５０の共通または対応する構成要素については同一の符号を付して参照する。また、ＦＰＣ３０とＦＰＣ５０との共通の構成及び作用効果ついての重複する説明は適宜省略し、主としてＦＰＣ５０のＦＰＣ３０との相違点について説明する。
【００７３】
ＦＰＣ５０において、ＬＥＤ２０の電極端子２４が接続されるランド部５４の外周辺５４ａ、５４ｂ、５４ｃ、５４ｄは、その内側辺５４ａ及び内側辺５４ａに連なる辺５４ｂ、５４ｃのうちの一つ（この場合、辺５４ｂ）が、カバーレイフィルム３３の開口部３９から露出する部分を有しており、内側辺５４ａ及び内側辺５４ａに連なる辺５４ｂ、５４ｃのうちの露出部分を有する方の一つ５４ｂを除く各辺５４ｃ、５４ｄは、カバーレイフィルム３３によって覆われている。
【００７４】
同様に、ＬＥＤ２０の電極端子２５が接続されるランド部５５の外周辺５５ａ、５５ｂ、５５ｃ、５５ｄは、その内側辺５５ａ及び内側辺５５ａに連なる辺５５ｂ、５５ｃのうちの一つ（この場合、辺５５ｂ）が、カバーレイフィルム３３の開口部３９から露出する部分を有しており、内側辺５５ａ及び内側辺５５ａに連なる辺５５ｂ、５５ｃのうちの露出部分を有する方の一つ５５ｂを除く各辺５５ｃ、５５ｄは、カバーレイフィルム３３によって覆われている。
【００７５】
そして、ランド部５４において、縦方向に離れて配置される２つの位置合わせ部４１、５２のうち、露出部分を有する辺５４ｂ側の位置合わせ部５２は、位置合わせ部４１のような穴部ではなく、辺５４ｂの露出部分に設けられた切欠部として形成されている。同様に、ランド部５５において、縦方向に離れて配置される２つの位置合わせ部４３、５３のうち、露出部分を有する辺５５ｂ側の位置合わせ部５３は、位置合わせ部４３のような穴部ではなく、辺５５ｂの露出部分に設けられた切欠部として形成されている。
【００７６】
ここで、位置合わせ部５２では、切欠部の底辺５２ｂが、電極端子２４の端辺２４ｂの近傍に位置して端辺２４ｂに沿って延びるものである。同様に、位置合わせ部５３では、切欠部の底辺５３ｂが、電極端子２５の端辺２５ｂの近傍に位置して端辺２５ｂに沿って延びるものである。
【００７７】
面状照明装置１０は、ＦＰＣ５０を使用した場合でも、ＦＰＣ３０を使用した場合と同様の作用効果を奏するものである。但し、ＦＰＣ５０は、ランド部５４、５５をＦＰＣ５０の縁部５１ａに比較的近い箇所に設ける必要があり、そのため、ランド部５４、５５に、縁部５１ａに向かって縦方向に延びる余剰部分を設け、かつ、カバーレイフィルム３３にそれらの余剰部分を覆う部分を設けるためのスペースを確保できない場合に、好適に適用されるものである。ランド部５４、５５をＦＰＣの縁部５１ａに比較的近い箇所に設ける必要があるのは、典型的には、ＦＰＣ５０の縦方向の幅が狭小な場合、または、ＦＰＣ５０の反対側の縁部５１ｂとランド部５４、５５との間に、何らかの理由により比較的広いスペースを確保する必要がある場合などである。
【００７８】
すなわち、図２及び図３に示すＦＰＣ３０の構成は、小型のＬＥＤ２０に対応しながら、カバーレイフィルム３３によるランド部３４、３５及びその近傍の導通パターン（例えば、引出線３６、３７）の保護を最大限に実現するものであるのに対して、図４に示すＦＰＣ５０の構成は、小型のＬＥＤ２０に対応し、かつ、ランド部５４、５５の配置位置に対する上述したような限定条件に対応しつつ、カバーレイフィルム３３によるランド部５４、５５及びその近傍の導通パターンの保護を最大限（例えば、引出線３６、３７）に実現するものである。
【００７９】
ここで、本発明に係る面状照明装置において、位置合わせ部４１、４２、４３、４４（穴部として形成される形態）は、図２及び図３に示す形態に限定されるものではない。例えば、位置合わせ部４１、４２、４３、４４は、それぞれ連続して横方向に延びる穴部からなるものとしたが、本発明に係る位置合わせ部は、図５（ａ）に示す位置合わせ部６１、６２、６３、６４のように、間隔をおいて横方向に配列された複数の穴部からなるものであってもよい。例えば、図５（ａ）において、位置合わせ部６１は、間隔をおいて横方向に配列された２つの穴部６１ａ、６１ｂからなる。
【００８０】
また、位置合わせ部４１、４２、４３、４４のそれぞれは、その全体が、一対の電極端子２４、２５とＬＥＤ２０の上面視外形の外周辺２１ａ、２１ｂ、２１ｃ、２１ｄとの間に配置されるものとした。この構成は、カバーレイフィルム３３の開口部３８を、極力小さくできる点で有利なものである。但し、本発明に係る位置合わせ部は、図５（ｂ）に示す位置合わせ部７１、７２、７３、７４のように、ＬＥＤ２０の上面視外形の外周辺２１ａ、２１ｂ、２１ｃ、２１ｄの少なくとも一辺から突出する部分を有するものであってもよい。例えば、図５（ｂ）において、位置合わせ部７１は、延長部７１ａと端部７１ｂとから、Ｌ字状に形成されている。そして、延長部７１ａは、電極端子２４の端辺２４ｃと、ＬＥＤ２０の上面視外形の長辺２１ｃとの間に配置され、一方、端部７１ｂは、ＬＥＤ２０の上面視外形の短辺２１ａと長辺２１ｃとが交わるコーナー部において、短辺２１ａ及び長辺２１ｃから僅かに突出するように形成されている。
また、例えば、位置合わせ部７１、７２、７３、７４は、ＬＥＤ２０の上面視外形の外周辺２１ａ、２１ｂ、２１ｃ、２１ｄのうち、短辺２１ａ及び短辺２１ｄのいずれか一方または両方から突出し、長辺２１ｂ、２１ｃからは突出しないものであってもよい。
【００８１】
また、図２及び図３では、ＬＥＤ２０の電極端子２４、２５は、縦方向の中心線Ｃ（図３（ａ）参照）に対して対称に設けられるものとした。そして、これに対応して、図２及び図３に示す位置合わせ部４１、４２、４３、４４において、それぞれの縦方向の幅は同一である。但し、ＬＥＤ２０の電極端子２４、２５が縦方向の中心線Ｃに対して非対称に設けられている場合、本発明に係る位置合わせ部を、図５（ｃ）に示す位置合わせ部８１、８２、８３、８４のように、構成するものであってもよい。これらの位置合わせ部８１、８２、８３、８４は、ＬＥＤ２０の電極端子２４、２５とＬＥＤ２０の上面視外形との間の間隔に応じて、位置合わせ部８１、８２、８３、８４の縦方向の幅を設定することによって、位置合わせ部４１、４２、４３、４４と同等の作用効果を奏する。
【００８２】
さらに、本発明に係る面状照明装置において、ＬＥＤ２０の一対の電極端子２４、２５間の距離が比較的長く、かつ、ＬＥＤ２０の横方向の位置精度に対する要求がそれほど厳しくない場合には、図６に示すＦＰＣ９０のように、一対のランド部３４、３５の互いに対向する一対の内側辺３４ａ、３５ａを、カバーレイフィルム３３で覆うものであってもよい。ＦＰＣ９０において、カバーレイフィルムには、ランド部３４、３５のそれぞれに対して、その一部を露出する開口部９３ａ、９３ｂが個別に設けられ、ランド部３４、３５のそれぞれの外周辺は、全てカバーレイフィルム３３によって覆われている。
【００８３】
尚、上述した実施形態では、本発明に係る点状光源を、トップビュー型のＬＥＤ２０としたが、本発明に係る点状光源は、ＦＰＣ３０に対する実装面に直交する一面に発光面を有する、所謂サイドビュー型のＬＥＤであってもよい。また、本発明に係る面状照明装置は、各図面を参照して個別に説明したそれぞれの事項を、任意に組合せて使用した構成を含むものである。
【符号の説明】
【００８４】
１０：面状照明装置、２０：点状光源（ＬＥＤ）、１１：導光板、１２：端面（入光面）、１３：出射面、２４，２５：電極端子、３０，５０，６０，７０，８０，９０：フレキシブルプリント回路基板（ＦＰＣ）、３１：ベースフィルム、３２：配線層、３３：カバーレイフィルム、３４，３５，５４，５５：ランド部、３８，３９，８３ａ，８３ｂ：開口部、４１，４２，４３，４４，５２，５３，６１，６２，６３，６４，７１，７２，７３，７４，８１，８２，８３，８４：位置合わせ部
【図１】
2016212998.tif 000003
【図２】
2016212998.tif 000004
【図３】
2016212998.tif 000005
【図４】
2016212998.tif 000006
【図５】
2016212998.tif 000007
【図６】
2016212998.tif 000008